(57)【要約】      （修正有）【課題】本体のサイズを大きくすることなく、撮像装置本体に対し撮影レンズの光軸方向と直交する方向に収納状態と突出状態に移動可能な電子ビューファインダを用いた撮影において撮影条件を制約しない撮像装置を提供する。【解決手段】上記目的を達成するために、本発明に係る撮像装置は、ファインダ回動部４１を有するファインダユニット２１において、収納状態と突出状態の２つの状態に可動し、突出状態においてファインダ回動部４１が回動可能に保持されていることを特徴とする。【選択図】図３
2020122944.tif 000002
【特許請求の範囲】
【請求項１】
本体部に対して収納される収納状態と前記本体部に対して突出する突出状態とに可動可能である電子ビューファインダユニットを有する撮像装置であって、
前記電子ビューファインダユニットは、突出状態において回動可能に保持され、収納状態において回動できないように保持されていることを特徴とする撮像装置。
【請求項２】
前記電子ビューファインダユニットは、電子表示ユニットと、接眼部と、前記電子表示ユニットから発光した光束を前記接眼部に導光するレンズを保持するレンズホルダと、を有する回動手段と、前記回動手段を覆う外装カバーと、を備え、
前記回動手段は、突出状態において、前記外装カバーに保持された前記レンズの光軸と垂直な回動軸を中心として回動可能であることを特徴とする請求項１に記載の撮像装置。
【請求項３】
前記外装カバーは、前記レンズの光軸方向と平行で且つ、前記電子ビューファインダユニットの可動方向に平行な第１の面及び第２の面を備え、前記回動軸は前記第１の面及び前記第２の面に保持されていることを特徴とする請求項２に記載の撮像装置。
【請求項４】
前記第１の面及び前記第２の面は、前記第１の面及び前記第２の面より被写体側に位置する第３の面で連結され、前記第１の面及び前記第２の面及び前記第３の面は、収納方向と直交する断面でコの字型となっていることを特徴とする請求項３に記載の撮像装置。
【請求項５】
前記回転軸は、前記第１の面を貫通する第１の軸、前記第２の面を貫通する第２の軸の２体に分割されていることを特徴とする請求項２乃至４のいずれか１項に記載の撮像装置。
【請求項６】
前記レンズの光軸が撮影光学系の光軸と平行である場合、前記電子ビューファインダユニットが突出状態から収納状態へ移動可能とし、前記レンズの光軸が前記撮影光学系の光軸と所定の角度をなす場合、前記電子ビューファインダユニットが突出状態から収納状態へ移動することを抑制する抑制部を有することを特徴とする請求項１乃至５のいずれか１項に記載の撮像装置。
【請求項７】
前記回転軸は、前記レンズホルダを基準として前記レンズの光軸について前記接眼部の反対側でかつ、前記レンズの光軸より前記電子ビューファインダユニットが突出する側に設けられていることを特徴とする請求項２乃至６のいずれか１項に記載の撮像装置。
【請求項８】
前記回転軸は、前記回動手段を構成する固定筒に設けられた軸穴部と回動可能に嵌合し、前記外装カバーの第１の面及び第２の面で保持されていることを特徴とする請求項２乃至７のいずれか１項に記載の撮像装置。
【請求項９】
前記回転軸は、前記回転軸と直交する方向の断面において、前記表示ユニットより前記電子ビューファインダユニットが突出する側に設けられていることを特徴とする請求項２乃至８のいずれか１項に記載の撮像装置。
【請求項１０】
前記回動手段は、前記固定筒に直動可能に収容され且つ前記レンズホルダを保持する案内筒を備え、
前記案内筒は、前記接眼部と係止され、
前記固定筒に設けられた接眼部が形成された軸受け部には、前記表示ユニットの表示面と平行な接眼部の面と当接する第一の当接部及び、前記レンズの光軸と平行な接眼部の面と当接する第二の当接部が設けられていることを特徴とする請求項８又は９に記載の撮像装置。
【発明の詳細な説明】
【技術分野】
【０００１】
本発明は、電子ビューファインダを備えた撮像装置に関する。特に、デジタルカメラに関するものである。
【背景技術】
【０００２】
従来、電子ビューファインダ（以降ファインダ）を備えたカメラにおいては、カメラ本体に対してファインダを回動可能とし、撮影者の撮影姿勢自由度を拡大したものが知られている。
【０００３】
特許文献１には、回転機構を用いてファインダを回動可能に備えた撮像装置が開示されている。
【先行技術文献】
【特許文献】
【０００４】
【特許文献１】特開２０１７−０２１３０３号公報
【発明の概要】
【発明が解決しようとする課題】
【０００５】
しかしながら、特許文献１に記載の構成において、ファインダ部は、カメラ外形に対し、常に突出した状態となる。
【０００６】
その為、撮影操作時の妨げとなったり、カメラ非使用時の持ち運びなど、携帯性に支障を与えていた。
【０００７】
上記問題に鑑みて、本発明では、カメラ本体に対して回動可能なファインダの小型化を図り、非使用時にはカメラ本体から突出しないファインダを有した撮像装置を提供することを目的とする。
【課題を解決するための手段】
【０００８】
上記目的を達成するために、本発明に係る撮像装置は、本体部に対して収納される収納状態と前記本体部に対して突出する突出状態とに可動可能である電子ビューファインダユニットを有する撮像装置であって、前記電子ビューファインダユニットは、突出状態において回動可能に保持され、収納状態において回動できないように保持されている。
【発明の効果】
【０００９】
本発明によれば、ファインダ非使用時には撮像装置の本体部に対し、突出部の無い小型で回動可能なファインダを有した撮像装置を提供することが可能となる。
【図面の簡単な説明】
【００１０】
【図１】本発明の実施形態に係る撮像装置の斜視図である。
【図２】ファインダ２０を突出させた撮像装置の斜視図である。
【図３】スライド抑制機構３９に関して説明する図である。
【図４】ファインダ２０の構成について説明する展開斜視図である。
【図５】ファインダカバー４９とファインダ回動動作の説明図である。
【図６】ファインダ回動部４１の説明図である。
【図７】検出センサ７１と検出センサフレキシブル基板７２の説明図である。
【図８】フレキシブル基板６１のレイアウトの説明図である。
【発明を実施するための形態】
【００１１】
以下、本発明の実施例について、図面を参照しながら詳細に説明する。各図において、同一の部材については同一の参照番号を付し、重複する説明は省略する。
【００１２】
図１を参照して、本発明の実施形態に係る撮像装置の一例である撮像装置１の構成について説明する。
【００１３】
ＥＶＦ（ｅｌｅｃｔｒｏｎｉｃ  ｖｉｅｗｆｉｎｄｅｒ）は、電子ビューファインダを示す。
【００１４】
図１は撮像装置１の斜視図である。図１（ａ）および図１（ｂ）はそれぞれ、撮像装置１の正面斜視図および背面斜視図である。
【００１５】
撮像装置１は、撮影光学系（不図示）を備えるレンズ鏡筒ユニット２を備える。
【００１６】
また、撮影光学系を構成する複数の撮影レンズを介して結像された被写体の光学像を光電変換して画像データを生成する撮像素子（不図示）を備える。
【００１７】
レンズ鏡筒ユニット２は、沈胴式で、収納時は撮像装置１の内部に沈胴する。
【００１８】
また、撮像装置１には、撮像素子で生成された画像データをデジタル情報に変換する処理回路を載せた主基板（不図示）や補助基板（不図示）等で構成されている。
【００１９】
レリーズボタン４は、全押し操作されると、撮影され、記録媒体（不図示）に被写体像の画像データが記録される。
【００２０】
ズームレバー５は、レリーズボタン４の外周に回動可能に保持されている。ズームレバー５が回動操作されると、ズーム動作が行われる。
【００２１】
電源ボタン６は、撮影者によって押下されオン状態（使用状態）、またはオフ状態（不使用状態）に切り替えられる。
【００２２】
表示装置１５は、撮像装置１の背面に設けられ、撮影する被写体像の確認や、撮像画像の再生表示のために用いられる。
【００２３】
撮像装置１は、フロントカバー９、リアカバー１０、トップカバー１６の外装部材で覆われている。
【００２４】
トップカバー１６は撮像装置１の上部の外観面を形成するとともに、ファインダ２０の開口部を形成している。
【００２５】
ファインダ２０は、撮像装置１に内蔵されており、収納時は、ロック機構によって撮像装置１の内部に保持された状態でロックされている。
【００２６】
撮像装置１の側面には、外観面の一部を形成しているサイドカバー１３が構成される。
【００２７】
サイドカバー１３には、解除レバー１４がスライド操作可能に保持されており、解除レバー１４を操作することによって、ファインダ２０のロックを解除して撮像装置１の上方へと突出動作を行う。
【００２８】
次に、図２を参照して、図１に示されている本発明のファインダ２０の動作について説明する。
【００２９】
図２は、ファインダ２０を突出させた撮像装置の背面斜視図である。
【００３０】
図２（ａ）は、前述の撮像装置１の側面に配置された解除レバー１４を操作することによって、ファインダ２０が撮像装置１に収納状態から上方へと突出した状態を示している。
【００３１】
接眼部２８は、接眼窓２２が固定されている。センサ窓２３は、接眼窓２２の上側に設けられている。
【００３２】
センサ窓２３は、内部のセンサ、例えば光学式検知センサの光路のために設けられている。
【００３３】
ユーザーである使用者が接眼部２８をのぞいたことを内部の光学式センサが検知して、ファインダ２０への表示に切り替える。
【００３４】
図２（ｂ）は、図２（ａ）のファインダ２０の突出状態から、ファインダ２０の接眼部２８を、撮像装置１の背面側へと引き出した状態を示す。
【００３５】
ファインダ２０は接眼部２８を手前へと引き出した状態において使用可能となり、接眼部２８から、撮影する被写体像の確認や撮影画像の再生表示などを確認することを可能とする。
【００３６】
さらに、図２（ｃ）は、図２（ｂ）のファインダ２０の使用可能な状態において、接眼部２８を含むファインダ回動部４１が回動した状態を示す。
【００３７】
ファインダ回動部４１は、接眼部２８がトップカバー１６と平行な位置まで約９０°回動する。
【００３８】
つまり、接眼窓２３は、カメラ本体部の天面を向く状態まで回動する。
【００３９】
よって、撮影者は、カメラ上面側から撮影する被写体像の確認や撮影画像の再生表示などを確認することも可能となる。
【００４０】
また、図３を参照して、突出状態となった後の収納状態側へのスライド抑制機構に関して説明する。
【００４１】
カメラ本体部１に対して収納される収納状態と本体部に対して突出する突出状態とに可動可能である電子ビューファインダユニット２１を有する。
【００４２】
電子ビューファインダユニット２１は、突出状態において回動可能に保持され、収納状態において回動可能できないように保持されている。
【００４３】
回転軸（５０）は、第１の面を貫通する第１の軸、第２の面を貫通する第２の軸の２体に分割されている。
【００４４】
ファインダレンズの光軸が撮影光学系の光軸と平行である場合、電子ビューファインダユニット２１が突出状態から収納状態へ移動可能とする。
【００４５】
そして、ファインダレンズの光軸が撮影光学系の光軸と所定の角度をなす場合、前記電子ビューファインダユニット２１が突出状態から収納状態へ移動することを抑制する抑制部（３９）を有する。
【００４６】
図３（ａ）、（ｂ）は収納状態と突出状態を示す。
【００４７】
図３（ａ）は、電子ビューファインダユニット２１がカメラ本体部１に内蔵された状態を示す。
【００４８】
図３（ｂ）は、電子ビューファインダユニット２１がカメラ本体部１の上方（矢印方向）に突出した状態を示す。
【００４９】
更に、図３（ｃ）、（ｄ）は接眼部２８が引き出された状態とファインダ回動部４１が回動した状態を示している。
【００５０】
図３（ａ）、（ｂ）に示すようにファインダユニット２１は、スライドストッパー３９を含み、収納状態と突出状態の上下方向のスライド動作を一体的に行う。
【００５１】
また、外装の一部であるリアカバー１０には、外装係止部１０ａを有している。
【００５２】
次に、図３（ｃ）のようにスライドストッパー３９は、接眼部２８を矢印方向に引き出すと連動して引き出され、外装係止部１０ａの上で当接する。
【００５３】
これにより、ファインダユニット２１には、収納状態側へのスライド抑制が働く。
【００５４】
また、スライドストッパー３９は、不図示のバネで矢印方向へ常に付勢されている。
【００５５】
その為、図３（ｄ）に示すようにファインダ回動部４１が回動してもスライドストッパー３９は、外装係止部１０ａの上で当接した状態を維持する。
【００５６】
その結果、ファインダユニット２１は、接眼部２８が引き出された状態で、収納状態側へのスライド抑制が働き続ける。
【００５７】
このように、ファインダユニット２１は、突出状態となった後に接眼部２８を引き出すことで、それ以降にファインダユニット２１が収納状態方向へ移動することが抑制される。
【００５８】
よって、ファインダユニット２１は、カメラ使用時に不用意に下がってしまい、ファインダ表示画像を視認できなくなるといった不具合がなくなる。
【００５９】
尚、収納状態への推移は先程とは逆に、図（ｄ）→（ｃ）→（ｂ）→（ａ）の動作により、スライドストッパー３９は、外装係止部１０ａより抑制が解除され、ファインダユニット２１は、撮像装置１に収納される。
【００６０】
次に、図４を参照して、ファインダ２０の構成について説明する。
【００６１】
図４は、電子ビューファインダ２０の展開斜視図である。
【００６２】
電子ビューファインダユニット２１は、電子表示ユニット４６と、接眼部２８と、電子表示ユニット４６から発光した光束を接眼部に導光するファインダレンズを保持するレンズホルダ４２と、を有する回動手段４１を有する。
【００６３】
また、ファインダ回動部である回動手段を覆う外装カバー４９を有する。
【００６４】
回動手段４１は、突出状態において、外装カバー４９に保持された前記ファインダレンズの光軸と垂直な回動軸５０を中心として回動可能である。
【００６５】
回転軸５０は、レンズホルダ４２を基準としてファインダレンズの光軸について接眼部２８の反対側でかつ、ファインダレンズの光軸より電子ビューファインダユニット２１が突出する側に設けられている。
【００６６】
図４（ａ）に示されるように、ファインダ２０は、ファインダユニット２１と、収納状態と突出状態を切り替える、上下動のポップアップ機構部５１からなる。
【００６７】
図４（ａ）は、ファインダ２０を構成する上下動のポップアップ機構部５１を説明する展開斜視図である。
【００６８】
ベースプレート３２は、金属板で形成され、金属材料で形成されるガイドバー３３が２本、加締められている。
【００６９】
また、ベースプレート３２には、係止ピン３２ａが形成されている。
【００７０】
ガイドバー３３は、一部径方向へと大きくなるようにフランジ形状部３３ａが形成される。
【００７１】
ＥＶＦホルダ３０は樹脂材料によって形成され、前述のベースプレート３２に加締められた２本のガイドバー３３が挿通されて、上下にスライド移動可能に保持している。
【００７２】
この際、ガイドバー３３のフランジ形状部３３ａがＥＶＦホルダ３０に対して当接することで突出時のスライド位置が決まる。
【００７３】
ＥＶＦホルダ３０は図１に示されるフロントカバー９に対して位置決め固定される。
【００７４】
突出バネ３８はＥＶＦホルダ３０内部に収納されて、ガイドバー３３を上方へと付勢している。
【００７５】
バネホルダ３５は板金材料によって形成されており、突出バネ３８の端部を抑えるようにＥＶＦホルダ３０へと固定される。
【００７６】
ロックレバー３６は、加締めピン３７によってバネホルダ３５に対して回動可能に保持されており、係止爪部３６ａを備える。
【００７７】
付勢バネ３４は、一端をロックレバー３６に係止され、他端をバネホルダ３５に係止されて保持されており、ロックレバー３６を一方向へと付勢している状態で構成される。
【００７８】
ロックレバー３６は、図１に記載の解除レバー１４を操作することで、加締めピン３７を中心に回動動作を行うように構成される。
【００７９】
ファインダ２０は、収納時にはロックレバー３６の係止爪部３６ａによってベースプレート３２の係止ピン３２ａが係止されることによって、収納状態で保持されている。
【００８０】
ファインダ２０の使用時には解除レバー１４を操作することで、ロックレバー３６が回動して係止ピン３２ａの係止を解除することで、突出動作を行う。
【００８１】
次に、電子ビューファインダユニット２１の構成について説明する。
【００８２】
図４（ｂ）は、ファインダユニット２１の展開斜視図である。
【００８３】
ファインダユニット２１には、トップカバー１６とともに上面の外観面を形成するファインダトップカバー３１が設けられている。
【００８４】
また、突出状態において、可動方向に平行な２面となる側面４９ａを有するファインダカバー４９を備える。
【００８５】
ファインダレンズの光軸を挟んで左側に位置する第１の側面、右側に位置する第２の側面を有する。
【００８６】
ファインダユニット２１を構成するファインダ回動部４１は、ファインダレンズを保持するレンズホルダ４２、レンズホルダ４２を直動可能に保持するファインダ案内筒４３、ファインダ案内筒４３のフランジ部４３ａを有する。
【００８７】
フランジ部４３ａには、ファインダ案内筒４３を直動可能にガイドするガイドシャフト４４が貫通している。
【００８８】
ガイドシャフト４４の一端は、ファインダ固定筒４５に固定されている。
【００８９】
接眼部２８は、ファインダ案内筒４３の側面に設けられた係止爪４３ｃによってファインダ案内筒４３に係止される。
【００９０】
接眼部２８は、手前へと引き出すことで、ガイドシャフト４４に軸支されたファインダ案内筒４３が内部のレンズホルダ４２と一体で並進移動し使用可能な状態となる。
【００９１】
ファインダ案内筒４３のフランジ部４３ａの外周にはシール部材４３ｂを設けている。シール部材４３ｂは、ファインダ固定筒４５とファインダ案内筒４３の間を密閉し、防塵構造を構成している。
【００９２】
表示ユニットホルダ４７は、表示ユニット４６を保持している。
【００９３】
表示ユニットホルダ４７の側面には係止爪４７ａが設けられており、ファインダ固定筒４５側の係止部４５ｆによって一体となっている。
【００９４】
表示パネル付勢板４８は腕部４８ａがファインダ固定筒４５に固定され、表示ユニット４６を表示ユニットホルダ４７側に付勢している。
【００９５】
腕部４８ａの先端４８ｂは、接眼部２８を手前へと引き出す際に一体で動作するファインダ案内筒４３に対してクリック部を兼ねている。
【００９６】
ファインダユニット２１の下部で収納と突出の上下動のポップアップ機構部５１の間には基板ベース６０が設けられている。
【００９７】
基板ベース６０は、ファインダカバー４９とともにベースプレート３２に対して複数の締結ビスによって固定される。
【００９８】
ファインダ基板２４は、基板ベース６０に固定されている。
【００９９】
ファインダ基板２４は、撮像装置１内部の主基板からの画像信号を伝達するためのフレキシブル基板（不図示）が接続され、さらに表示ユニット４６に接続されるフレキシブル基板６１によって信号を伝達する。
【０１００】
フレキシブル基板カバー６２は基板ベース６０に固定されている。
【０１０１】
次に、図５を参照して、ファインダカバー４９とファインダ回動動作について説明する。
【０１０２】
図５はファインダカバー４９とファインダ固定筒４５の関係を示す図である。
【０１０３】
外装カバー４９は、ファインダレンズの光軸方向と平行で且つ、電子ビューファインダユニット２１の可動方向に平行な第１の面及び第２の面４９ａを備え、回動軸５０は第１の面４９ａ及び第２の面４９ａに保持されている。
【０１０４】
第１の面及び第２の面４９ａは、第１の面及び第２の面４９ａより被写体側に位置する第３の面４９ｂで連結され、第１の面及び第２の面４９ａ及び第３の面４９ｂは、収納方向と直交する断面でコの字型となっている。
【０１０５】
回転軸５０は、回動手段４１を構成する固定筒４５に設けられた軸穴部４５ｂと回動可能に嵌合し、外装カバー４９の第１の面及び第２の面４９ａで保持されている。
【０１０６】
ファインダユニット回転軸５０は、ファインダカバー４９を構成する側面４９ａに設けられた穴部４９ｃで保持されている。
【０１０７】
ファインダユニット回転軸５０は、剛性を有するファインダカバー４９に結合することで回転軸として強度を確保可能となる。
【０１０８】
ファインダ固定筒４５は、ファインダユニット回転軸５０の一部が軸穴部４５ｂと回動可能に嵌合している。
【０１０９】
よって、ファインダ固定筒４５はファインダカバー４９に対し回動可能となる。また、ファインダカバー４９には回動ストッパー部４９ｄが設けられている。
【０１１０】
ファインダ固定筒４５は、約９０°回動すると当接部４５ｄが回動ストッパー部４９ｄに当接する構成となっている。
【０１１１】
ファインダ回動部４１は、ファインダレンズ光軸が撮影光学系の光軸と略平行である０°から９０°の間で回動可能となる。
【０１１２】
本実施例において、ファインダユニット回転軸５０は、ビス、等の２本の部材に分割されているが、１本の構成でも良い。
【０１１３】
ファインダカバー４９とファインダ固定筒４５に設けられている軸穴部４５ｂの間は、摩擦を付与する摩擦部材（不図示）が挟持される。
【０１１４】
摩擦部材は、例えば、皿ばねやＯリングなどであり、摩擦部材が与える摩擦力によって回動動作を任意の位置で停止させることを可能とする。
【０１１５】
ファインダカバー４９は、平行な２面である平面板である側面４９ａと側面４９ａをつなぐ被写体側の面４９ｂで構成されている。
【０１１６】
そして、ファインダカバー４９は、収納状態と突出状態との可動方向Ｖと直交する断面Ｆにおいて、略コの字型となっている。
【０１１７】
ファインダカバー４９を構成する平行な２面の側面４９ａには両側ともに、穴部４９ｃが設けられている。
【０１１８】
ファインダカバー４９に設けられた穴部４９ｃは、撮像装置１において接眼窓２２の反対側でかつファインダユニット２１の上側である。
【０１１９】
よって、ファインダユニット２１の回動動作において、ファインダ回動部４１は撮像装置１のトップカバー１６やフロントカバー９などの外装部材から遠ざかるように動作するので、回動動作に伴う撮像装置１との干渉部が発生しない。
【０１２０】
被写体側の第３の面４９ｂは、ファインダレンズの光軸と直交している。
【０１２１】
そのため、ファインダカバー４９は、収納状態と突出状態との可動方向の断面で略コの字型となっており、回動動作に必要な強度確保が可能となる。
【０１２２】
次に、図６を参照して、ファインダユニット２１を構成するファインダ回動部４１を説明する。
【０１２３】
図６（ａ）は、ファインダ回動部４１の側面から見た図である。
【０１２４】
回動手段４１は、固定筒４５に直動可能に収容され且つレンズホルダ４２を保持する案内筒４３を有する。
【０１２５】
案内筒４３は、接眼部２８と係止されている。
【０１２６】
固定筒４５に設けられた接眼部２８が形成された軸受け部４５ｅには、表示ユニット４６の表示面と平行な接眼部２８の面と当接する第一の当接部４５ｂａが設けられている。
【０１２７】
また、ファインダレンズの光軸と平行な接眼部２８の面と当接する第二の当接部４５ｂｂが設けられている。
【０１２８】
ファインダ固定筒４５の下部には、突出状態におけるファインダ回動部４１の回動動作を規制するための係止部４５ａが設けられている。
【０１２９】
また、ファインダ固定筒４５の上部には、外観面を形成するファインダカバー４９に対し回動可能に軸支するための軸受け部４５ｅが設けられている。
【０１３０】
軸受け部４５ｅには、軸穴部４５ｂが形成されている。
【０１３１】
また、軸受け部４５ｅには、第一の当接部４５ｂａが設けられている。
【０１３２】
第一の当接部４５ｂａは、表示ユニット４６の表示面と平行な接眼部２８の面と当接している。
【０１３３】
さらに、軸受け部４５ｅには、第二の当接部４５ｂｂが設けられている。第二の当接部４５ｂｂは、ファインダレンズ光軸と平行な接眼部２８の面と当接している。
【０１３４】
軸穴部４５ｂ部には、ファインダユニット回転軸５０が嵌合されているため、剛性がある。
【０１３５】
よって、ファインダ固定筒４５の軸受け部４５ｅに、第一の当接部４５ｂａと第二の当接部４５ｂｂを設けることで、接眼部２８は、収納する際の突き当て面や摺動面などがファインダ固定筒４５の剛性を有する部分に設けられることとなる。
【０１３６】
よって、接眼部２８の操作における信頼性を向上させることが可能となる。
【０１３７】
図６（ｂ）は図４に示されるファインダユニット２１の断面図である。
【０１３８】
回転軸５０は、回転軸５０と直交する方向の断面において、表示ユニット４６より電子ビューファインダユニット２１が突出する側に設けられている。
【０１３９】
ファインダユニット回転軸５０は、表示ユニット４６の厚み方向における投影内に配置されている。
【０１４０】
ファインダユニット回転軸５０は、ファインダ案内筒４３のフランジ部４３ａとファインダ固定筒４５の防塵構造部に影響することがない。よって、ファインダユニット２１の内部レイアウトを省スペースで構成することが可能となる。
【０１４１】
フレキシブル基板６１の一端は、ファインダユニット回転軸５０側において表示ユニット４６に接続されている。
【０１４２】
フレキシブル基板６１は、ファインダユニット回転軸５０の略同一中心とするＲ部６１ａを形成し、フレキシブル基板カバー６２とファインダカバー４９の間隙を通過するよう配置される。
【０１４３】
ファインダユニット回転軸５０は、ファインダレンズの光軸と直交している。
【０１４４】
図６（ｃ）は、ファインダユニット２１のファインダレンズの光軸と直交する断面である。
【０１４５】
係止部材６３は付勢ばね６４によって基板ベース６０に摺動可能に取り付けられている。
【０１４６】
ファインダ固定筒４５の下部に設けられた係止部４５ａは係止部材６３によって回動動作を規制されている。
【０１４７】
係止部材６３は、ファインダ回動部４１の回転動作時に付勢ばね６４に抗して退避し係止部４５ａが乗り越える。
【０１４８】
よって、ファインダユニット２１を構成するファインダ回動部４１は、ファインダレンズ光軸と撮像レンズ（不図示）と平行な状態において係止される。
【０１４９】
次に、図７を参照して、ファインダ回動部４１の内部における検出センサ７１と検出センサフレキシブル基板７２のレイアウトを説明する。
【０１５０】
図６、図７（ｂ）に示されているように、センサ窓２３は接眼部２８を構成する接眼窓２２の上部に設けられている。内部の検出センサ７１は、例えば近接センサなどを用いて、使用者が接眼部２８をのぞいたことを検知して、ファインダ２０への表示に切り替える。
【０１５１】
よって、検出センサ７１とセンサ窓２３を接眼窓２２の上部に設けることで、ファインダ回動部４１が回動した範囲内において、検出センサ７１はユーザーである使用者が接眼部２８をのぞいたことを検知することが可能となる。
【０１５２】
本体部１に対して突出した電子ビューファインダユニット２１を有する。
【０１５３】
回動手段４１は、表示ユニット４６と、表示ユニット４６に接続されている第１のフレキシブル基板６１と、ファインダレンズを保持するレンズホルダ４２を有する。
【０１５４】
また、回動手段４１は、ユーザーが接眼部２８に近づいたことを検知するセンサ７１と、接眼部２８の前面に設けられた接眼窓２２と、接眼窓２２より電子ビューファインダユニット２１が突出する方向に設けられたセンサ窓２３と、を有する。
【０１５５】
電子ビューファインダユニット２１は、回動手段４１、回動手段４１を覆う外装カバー４９を有する。
【０１５６】
回動手段４１は、突出した状態において、外装カバー４９に保持されたファインダレンズの光軸と垂直な回動軸５０を中心として回動可能である。
【０１５７】
第１のフレキシブル基板６１は、表示ユニット４６との接続部から回転軸５０に向かい延伸している。
【０１５８】
外装カバー４９は、ファインダレンズの光軸方向と平行で且つ、電子ビューファインダユニット２１の可動方向に平行な第１の面及び第２の面４９ａを備え、回動軸５０は第１の面及び第２の面４９ａに保持される。
【０１５９】
回動手段４１は、固定筒４５の上面を覆う上面カバー３１を有する。
【０１６０】
第２の重畳部７２ｃは、固定筒４５と上面カバー３１の間に設けられるとともに、ファインダレンズの光軸と直交する面内において、実装部７２ａの幅Ｗの領域内に設けられている。
【０１６１】
図７（ａ）に示されるように、検出センサ７１は、検出センサフレキシブル基板７２に周辺回路部品とともに実装されている。
【０１６２】
回動手段４１は、接眼部２８と係止され且つレンズホルダ４２を保持する案内筒４３と、案内筒４３を直動可能に収容する固定筒４５と、を有する。
【０１６３】
また、回動手段４１は、固定筒４５の上面を覆う上面カバー３１と、センサ７１を実装している実装部７２ａ及び、実装部７２ａから本体部に向かい延伸する第２のフレキシブル基板７２と、を有する。
【０１６４】
第１のフレキシブル基板６１は、フレキシブル部が折り畳まれた第１の重畳部を有する。
【０１６５】
第２のフレキシブル基板７２は、センサ窓２３に近い側にフレキシブル部が折り畳まれた第２の重畳部７２ｃ、センサ窓２３から遠い側にフレキシブル部が折り畳まれた第３の重畳部７２ｅを有する。
【０１６６】
第１のフレキシブル基板６１及び第２のフレキシブル基板７２は、回転軸５０に巻き付いている。
【０１６７】
接眼部２８がユーザー側に向かい引き出された場合、第２のフレキシブル基板７２の第２の重畳部７２ｃが引き伸ばされている。
【０１６８】
回動手段４１が回動軸５０を中心として回動した場合、第１のフレキシブル基板６１の第１の重畳部及び第２のフレキシブル部の第３の重畳部７２ｅが引き伸ばされる。
【０１６９】
検出センサフレキシブル基板７２の検出センサ７１を実装している実装部７２ａは、センサ窓２３と不図示の固定部によって一体となっている。
【０１７０】
図７（ｂ）、および図７（ｃ）は検出センサフレキシブル基板７２の構成と配置を説明する図である。
【０１７１】
第２のフレキシブル基板７２は、第１のフレキシブル基板６１と隣接して第１のフレキシブル基板６１を本体部１に導くフレキシブル基板カバー６２と外装カバー４９の間隙に配置されている。
【０１７２】
実装部７２ａから延伸する第１の可動余長部７２ｃは、ファインダトップカバー３１とファインダ固定筒４５の間に収容されている。
【０１７３】
また、第１の可動余長部７２ｃは、接眼部２８の方向から見て、実装部７２ａの幅Ｗの中に配置されている。
【０１７４】
第１の可動余長部７２ｃは、接眼部２８が手前へと引き出され並進移動する際に可動する。
【０１７５】
よって、可動余長部７２ｃは、ファインダ回動部４１の可動部を構成するファインダユニット回転軸５０の配置や、回動動作を阻害することなく配置可能となる。
【０１７６】
よって、図７（ｂ）に示すようにセンサ窓２３は、接眼部２８を構成する接眼窓２２の上部に設けることで、結果として検出センサフレキシブル基板７２を省スペースに配置可能となる。
【０１７７】
検出センサフレキシブル基板７２の第１の可動余長部７２ｃより先の延伸部７２ｄは、表示ユニット４６に接続されるフレキシブル基板６１と隣接し、かつ、フレキシブル基板カバー６２とファインダカバー４９の間隙を通過するよう配置される。
【０１７８】
延伸部７２ｄより先には、第２の可動余長部７２ｅが設けられている。可動余長部７２ｃから延伸部７２ｄまでの間の部位７２ｍにおいて、検出センサフレキシブル基板７２は、ファインダユニット回転軸５０に巻き付いている。よって、ファインダユニット回転軸５０を中心として回動した場合、回動動作を阻害することなく第２の可動余長部７２ｅが引き伸ばされる。
【０１７９】
よって、検出センサフレキシブル基板７２はファインダ回動部４１の回動動作を妨げることなく、ファインダユニット回転軸５０の構成を阻害することなく、接眼部２８の並進移動も可能とする。
【０１８０】
検出センサフレキシブル基板７２の延伸部７２ｄは、ファインダ回動部４１が回動しても外側に露出することはなく、保護されているため信頼性を向上させることを可能とする。
【０１８１】
図８（ａ）は、ファインダユニット２１のファインダユニット回転軸５０に直交する断面図である。
【０１８２】
フレキシブル基板６１の一端は、ファインダユニット回転軸５０側において表示ユニット４６に接続されている。
【０１８３】
フレキシブル基板６１はポリイミドなどの樹脂を基材とし厚みが０．１ｍｍ〜０．２ｍｍ程度で、可撓性を有したプリント配線板である。
【０１８４】
フレキシブル基板６１は、ファインダユニット回転軸５０と略同一中心とするＲ部６１ａを形成し、フレキシブル基板カバー６２とファインダカバー４９の間隙を通過するよう配置される。
【０１８５】
フレキシブル基板カバー６２は、金属板で形成されている。フレキシブル基板カバー６２のファインダユニット回転軸５０に近い側の端面は１８０°折り返すヘミング曲げ加工が施されている。
【０１８６】
このため、フレキシブル基板６１は、フレキシブル基板カバー６２の端面と接触することがない。
【０１８７】
よって、ファインダユニット回転軸５０の配置構成を阻害することなく、ファインダ回動部４１の回動動作を可能とする。
【０１８８】
ファインダユニット回転軸５０は２本の部材に分割されているが、１本の構成でも良い。
【０１８９】
また、フレキシブル基板６１は、ファインダ回動部４１がファインダカバー４９の内側で回動しても露出することはなく、フレキシブル基板カバー６２によって保護されているため信頼性を向上させることを可能とする。
【０１９０】
フレキシブル基板カバー６２とファインダカバー４９の間隙を通過した先において、フレキシブル基板６１は、Ｒ部６１ｂ、Ｒ部６１ｃ、Ｒ部６１ｄの複数のＲ部を形成するように配置する。
【０１９１】
両端のＲ部６１ａとＲ部６１ｄは内側のＲ部６１ｂ、Ｒ部６１ｃより半径が大きい。フレキシブル基板６１の接続端子部６１ｅは、ファインダ基板２４に接続される。
【０１９２】
次に、図８を参照して、ファインダユニット２１の内部におけるフレキシブル基板６１のレイアウトを説明する。
【０１９３】
撮像装置１は、本体部に対して収納される収納状態と前記本体部に対して突出する突出状態とに可動可能である電子ビューファインダユニット２１を有する。
【０１９４】
電子ビューファインダユニット２１は、電子表示ユニット４６を有する回動手段４１と、ファインダ回動部４１である回動手段を覆う外装カバー４９と、を備えている。
【０１９５】
回動手段４１は、突出状態において、外装カバー４９に保持された回動軸５０を中心として回動可能である。
【０１９６】
電子表示ユニット４６に接続されたフレキシブル基板６１の一端は、回動軸５０で曲げられており、フレキシブル基板６１の他端は、回動手段４１とともに回動しない基板２４に接続されており、フレキシブル基板６１は、回動手段４１の回動による、フレキシブル基板６１の撓み部６１ａ〜６１ｄの撓み量が可変する。
【０１９７】
外装カバー４９が、回動手段４１の回動軸５０が取り付けられた取付け面４９ａと、取付け面４９ａを連結する連結面４９ｂとで一体となって構成されている。
【０１９８】
回動軸５０が伸びた方向から見た場合、電子表示ユニット４６と連結面４９ｂとの間にフレキシブル基板６１の保護カバー６２が配置されている。
【０１９９】
回動軸５０が伸びた方向から見た場合、フレキシブル基板６１は、外装カバー４９の連結面４９ｂと保護カバー６２の間隙に配置されている。
【０２００】
フレキシブル基板６１は、フレキシブル基板６１の一端側に第１の撓み部６１ａを備え、フレキシブル基板６１の他端側に第２の撓み部６１ｄを備えている。
【０２０１】
電子ビューファインダユニット２１の可動方向において第１の撓み部６１ａと第２の撓み部６１ｄの間に第３の撓み部６１ｂ、６１ｃを備えている。
【０２０２】
第１の撓み部６１ａは回動軸５０に巻き付いている。
【０２０３】
第１の撓み部６１ａの半径は、第３の撓み部６１ｂ、６１ｃの半径よりも大きい。
【０２０４】
第３の撓み部６１ｄの半径は、第３の撓み部６１ｂ、６１ｃの半径よりも大きい。
【０２０５】
電子表示ユニット４６を付勢する付勢部材４８は、腕部４８ａが固定筒（４５）に固定され、回動手段４１とともに回動する。
【０２０６】
図８（ｂ）を参照して、フレキシブル基板６１の可動部について説明する。
【０２０７】
ファインダユニット２１の回動動作の際に、フレキシブル基板６１のＲ部６１ａは、ファインダユニット回転軸５０の近傍で曲げられる。
【０２０８】
Ｒ部６１ａの半径は、ファインダユニット回転軸５０より外側に配置されることで、ファインダユニット回転軸５０の軸半径より大きくなる。
【０２０９】
Ｒ部６１ａは、ファインダユニット２１の回動動作によって可動することでフレキシブル基板６１に応力が生じる。
【０２１０】
そのため、Ｒ部６１ａの半径は大きいことで断線を防止することが可能となる。図８（ｂ）は、ファインダユニット２１が約９０°回動したファインダカバー４９の内側の状態を示している。
【０２１１】
ファインダユニット２１が約９０°回動すると、Ｒ部６１ａは可動する。
【０２１２】
つまり、フレキシブル基板６１には、Ｒ部６１ａの円周の１／４が余長部（撓み部）として生じる。
【０２１３】
そして、可動で生じる余長部（撓み部）は、フレキシブル基板カバー６２とファインダカバー４９の間隙を通過し、矢印方向へ向かう。
【０２１４】
その結果、可動で生じる余長部（撓み部）は、Ｒ部６１ｂの中心を並行移動させることで吸収される。
【０２１５】
Ｒ部６１ｂは、余長部（撓み部）を吸収する際に、下方向に並行移動すればよいのでＲ部６１ａの半径より小さくて良い。
【０２１６】
中心をフレキシブル基板６１は、余長部（撓み部）の吸収個所を接続端子部６１ｅまでに設ければ良い。
【０２１７】
このように、余長部（撓み部）を吸収するＲ部６１ｂを設けることで、ファインダユニット２１の回動動作によるフレキシブル基板６１の可動は、接続端子部６１ｅの接続信頼性へ影響しない。
【０２１８】
さらに、Ｒ部６１ａの半径より小さいＲ部６１ｃを設けることで、Ｒ部６１ｂは、上下動機構部５１とフロントカバー９の間に余長部（撓み部）の吸収個所を設けることを可能とする。
【０２１９】
複数個所ファインダユニット２１外に余長部（撓み部）の吸収個所を設けることで、接続端子部６１ｅの接続信頼性へ影響することなく、ファインダユニット２１は、小型化が可能となる。
【０２２０】
また、本実施例では、ファインダ基板２４は基板ベース６０ベースプレート３２に対して複数の締結ビスによって固定されている。
【０２２１】
そのため、ファインダ基板２４は、図４に示されているファインダユニット２１のＥＶＦホルダ３０に対し上下動機構部５１によって上下動作している。
【０２２２】
しかしながら、ファインダ基板２４を上下動させない場合にはＲ部６１ｄを可動すれば良い。つまりファインダ基板２４が上下動しない場合、ファインダユニット２１の上下動作の余長部は、Ｒ部６１ｄによって吸収される。
【０２２３】
Ｒ部６１ｄの半径は、ファインダユニット２１の上下動作によってフレキシブル基板６１に応力が生じる。そのため、Ｒ部６１ｄの半径は大きくとることによって断線を防止することとなる。
【０２２４】
Ｒ部６１ｂは、ファインダユニット２１の回動動作の余長部（撓み部）となり、Ｒ部６１ｄは、ファインダユニット２１の上下動作の余長部（撓み部）となり、異なる可動の余長部（撓み部）となる。
【０２２５】
つまり、フレキシブル基板６１は、Ｒ部６１ａ、Ｒ部６１ｂ、Ｒ部６１ｃ、Ｒ部６１ｄの複数のＲ部を上下動方向で異なる高さで、かつ、両端のＲ部６１ａとＲ部６１ｄは内側のＲ部６１ｂ、Ｒ部６１ｃより半径を大きくする。
【０２２６】
それにより、上下動作と回動動作の可動部を有した場合に、余長部（撓み部）を省スペースな配置とすることが可能となる。
【０２２７】
表示パネル付勢板４８は、金属板であり表示ユニット４６に接していることで熱結合している。
【０２２８】
表示ユニット４６は、高精細化や高フレームレート化に伴い、熱を発生する熱源となっている。表示パネル付勢板４８はファインダ固定筒４５に保持されており、ファインダ回動部４１の回動動作に伴い回動している。
【０２２９】
表示パネル付勢板４８は、フレキシブル基板カバー６２よりも熱伝導率の高い部材とすることで表示ユニット４６の放熱部材としても機能する。
【０２３０】
フレキシブル基板６１の他端は基板ベース６０に固定されているファインダ基板２４に接続されている。
【０２３１】
基板ベース６０はファインダ基板２４を覆っている。
【０２３２】
ファインダ回動部４１の回動動作時においても、ファインダ基板２４は、外側に露出することはなく、基板ベース６０によって保護されているため信頼性を向上させることを可能とする。
【０２３３】
以上、本発明の好ましい実施形態について説明したが、本発明はこれらの実施形態に限定されず、その要旨の範囲内で種々の変形および変更が可能である。
【符号の説明】
【０２３４】
１  撮像装置
９  フロントカバー
１６  トップカバー
１４  解除レバー
２０  ファインダ
２１  ファインダユニット
２２  接眼窓
２４  ファインダ基板
２８  接眼部
３１  ファインダトップカバー
４１  ファインダ回動部
４５  ファインダ固定筒
４５ｂ  軸穴部
４８  表示パネル付勢板
４９  ファインダカバー
５０  ファインダユニット回転軸
５１  上下動のポップアップ機構部
６１  フレキシブル基板
６２  フレキシブル基板カバー
６３  係止部材
７１  検出センサ
７２  検出センサフレキシブル基板
【図１】
2020122944.tif 000003
【図２】
2020122944.tif 000004
【図３】
2020122944.tif 000005
【図４】
2020122944.tif 000006
【図５】
2020122944.tif 000007
【図６】
2020122944.tif 000008
【図７】
2020122944.tif 000009
【図８】
2020122944.tif 000010